(57)【要約】【課題】弱電界においても良好な受信感度を有するチューナ部を実現する。【解決手段】高周波信号が一方の入力に供給される混合器１１７と、この混合器１１７の他方の入力に発振信号を供給する発振器１２３と、この発振器１２３の発振周波数をＰＬＬ制御するＰＬＬ回路１２５と、混合器１１７からの出力信号が供給される出力端子１１３を備え、ＰＬＬ回路１２５に対して基準信号を発生する基準発振器１２６と、この基準発振器１２６からの発振信号が供給されるとともに電気信号を光信号に変換する電気光変換器１２８と、この電気光変換器１２８から出力される光信号を電気信号に変換する光電気変換器１３０を設け、光電気変換器１３０の出力をＰＬＬ回路１２５の一方の入力に近接して接続する。【選択図】図１
2010171482.tif 000002
【特許請求の範囲】
【請求項１】
高周波信号が一方の入力に供給される混合器と、この混合器の他方の入力に発振信号を供給する発振器と、この発振器の発振周波数をＰＬＬ（フェイズロックドループ）制御するＰＬＬ回路と、前記混合器からの出力信号が供給される出力端子を備え、前記ＰＬＬ回路に対して基準信号を発生する基準発振器と、この基準発振器からの発振信号が供給されるとともに電気信号を光信号に変換する電気光変換器と、この電気光変換器から出力される光信号を電気信号に変換する光電気変換器を設け、前記光電気変換器の出力は前記ＰＬＬ回路の一方の入力に近接して接続されるチューナ部。
【請求項２】
前記電気光変換器と前記基準発振器を前記チューナ部より外部に設けた請求項１に記載のチューナ部。
【請求項３】
前記基準発振器と前記電気光変換器との間に分周器が挿入される請求項１に記載のチューナ部。
【請求項４】
請求項１に記載のチューナ部からの出力信号を復調する復調部を備え、前記復調部に設けられるとともに第１のクロック信号を供給する第１のクロックＰＬＬを設け、前記電気光変換器の出力と前記第１のクロックＰＬＬの入力の間に光信号を電気信号に変換する第２の光電気変換器を設けた高周波受信部。
【請求項５】
請求項１に記載のチューナ部からの出力信号を復調する復調部と、前記復調部からの出力信号をベースバンドへの信号処理を行う信号処理部を備え、前記信号処理部に設けられるとともに第２のクロック信号を供給する第２のクロックＰＬＬを設け、前記電気光変換器の出力と前記第２のクロックＰＬＬの入力の間に第３の光電気変換器を設けた高周波受信機器。
【請求項６】
請求項１に記載のチューナ部からの出力信号を復調する復調部と、前記復調部からの出力信号をベースバンドへの信号処理を行う信号処理部と、前記信号処理部からの出力信号により画像を表示する画像表示部を備え、前記画像表示部に設けられるとともに第３のクロック信号を供給する第３のクロックＰＬＬを設け、前記電気光変換器の出力と前記第３のクロックＰＬＬの入力の間に第４の光電気変換器を設けた高周波受信機器。
【請求項７】
高周波信号が一方の入力に供給される混合器と、この混合器の他方の入力に発振信号を供給する発振器と、この発振器の発振周波数をＰＬＬ制御するＰＬＬ回路と、前記混合器からの出力信号が供給される出力端子を備え、入力された光信号を電気信号に変換するとともに前記ＰＬＬ回路の他方の入力に近接して接続される光電気変換器と、前記光電気変換器の入力に接続されるとともに光信号を伝送する光信号伝送手段を設け、システム制御部からの制御信号を光信号に変換する電気光変換器から出力された光信号が前記光信号伝送手段を介して前記光電気変換器に入力されるチューナ部。
【請求項８】
前記光信号伝送手段として光ファイバを用いた請求項１あるいは請求項７に記載のチューナ部。
【請求項９】
前記光信号伝送手段は、前記電気光変換器としての発光素子と、前記光電気変換器としての受光素子を設け、前記受光素子が前記発光素子からの光を直接に受ける請求項１あるいは請求項７に記載のチューナ部。
【発明の詳細な説明】
【技術分野】
【０００１】
本発明は、高周波信号を受信するチューナ部とこれを用いた高周波受信部および高周波受信機器に関するものである。
【背景技術】
【０００２】
以下、従来のテレビ放送信号を受信できる高周波受信機器１について図４を用いて説明する。
【０００３】
図４において、高周波受信機器１は、高周波受信部３と、信号処理部５と、システム制御部６から構成されている。この高周波受信部３は、チューナ部７と復調部８から構成されている。
【０００４】
このチューナ部７は、アンテナ９からの高周波信号が接続される入力端子１１から出力端子１３に向かって順に、増幅器１５、増幅器１５の出力信号が一方の入力に接続された混合器１７、フィルタ１９、増幅器２１が接続されている。
【０００５】
また、混合器１７の出力と増幅器１５の利得制御入力１５ａとの間にはＡＧＣ（自動利得制御）回路２３が接続されている。
【０００６】
混合器１７の他方の入力には発振器２５の発振信号が接続され、この発振器２５は、基準発振器２９が供給されるＰＬＬ回路２７により周波数が制御される。
【０００７】
また、復調部８は、出力端子１３が接続される入力端子３１から出力端子３３に向かって順に、ＡＤコンバータ３５、フィルタ３７、復調回路３９が接続されている。
【０００８】
さらに、ＡＤコンバータ３５および復調回路３９には、クロック信号を供給するクロックＰＬＬ４１が接続され、このクロックＰＬＬ４１には、基準信号を供給する基準発振器４３が接続されている。
【０００９】
このように構成された高周波受信機器１の高周波受信部３の動作について以下説明する。
【００１０】
アンテナ９からの例えばＵＨＦ帯のテレビ放送信号は、増幅器１５、２１により利得制御され、また、フィルタ１９により妨害信号が抑圧され、さらに混合器１７および発振器２５により周波数変換されたのち、出力端子１３から出力される。
【００１１】
この発振器２５の発振周波数は、システム制御部６からの制御データに基づいてＰＬＬ回路２７により決定される。
【００１２】
さらに、チューナ部７からの出力信号は、ＡＤコンバータ３５によりアナログ信号がデジタル信号に変換されたのち、フィルタ３７により妨害信号が抑圧され、さらに復調回路３９によりデジタル復調されて出力端子３３からＴＳ（トランスポートストリーム）信号として出力される。
【００１３】
また、ＡＤコンバータ３５および復調回路３９にクロック信号を供給するクロックＰＬＬ４１は、基準発振器４３からの基準発振信号に基づいて作られる。
【００１４】
なお、この出願の発明に関連する先行技術文献情報としては、例えば、特許文献１が知られている。
【特許文献１】特開平８−３１６９０８号公報
【発明の開示】
【発明が解決しようとする課題】
【００１５】
このような従来の高周波受信部は、今後ますます多機能化、小型化された高周波受信機器に搭載されており、このため小型化サイズの要求が厳しくなっている。
【００１６】
この小型化サイズとなった高周波受信部３においては、基準発振器２９、４３のＵＨＦ周波数帯の高周波信号が、アンテナ９から混合器１７までの入力部に飛び込んでしまう。
【００１７】
このＵＨＦ周波数帯の高調波信号は、混合器１７においてテレビ受信信号とともに周波数変換され、受信帯域内の信号となる。このため、フィルタ１９では除去できず、この結果、弱電界における受信感度が劣化した。
【００１８】
同様に、基準発振器２９、４３のＵＨＦ周波数帯の高調波信号が発振器２５に飛び込むと、発振器２５の発振信号のＣ／Ｎが劣化し、受信品質の劣化が発生した。
【００１９】
さらに、デジタル放送信号の受信感度は、アナログ放送信号の受信感度に比較して、より小さな弱電界においても受信できる。これは、デジタル放送による特徴であり、基準発振器２９の高調波成分による影響を小さくすることがさらに要求される。
【００２０】
そこで本発明は、このような問題を解決したもので、良好な受信感度を有するチューナ部を実現することを目的としたものである。
【課題を解決するための手段】
【００２１】
この目的を達成するために本発明のチューナ部において、ＰＬＬ回路に対して基準信号を発生する基準発振器と、この基準発振器からの発振信号が供給されるとともに電気信号を光信号に変換する電気光変換器と、この光電気変換器から出力される光信号を電気信号に変換する光電気変換器を設け、前記光電気変換器の出力を前記ＰＬＬ回路の一方の入力に近接して接続する。
【００２２】
これにより、弱電界においても良好な受信感度を有するチューナ部を実現することができる。
【発明の効果】
【００２３】
以上のように、本発明のチューナ部において、ＰＬＬ回路に対して基準信号を発生する基準発振器と、この基準発振器からの発振信号が供給されるとともに電気信号を光信号に変換する電気光変換器と、この光電気変換器から出力される光信号を電気信号に変換する光電気変換器を設け、前記光電気変換器の出力を前記ＰＬＬ回路の一方の入力に近接して接続する。
【００２４】
このように、基準発振器とＰＬＬ回路の間に電気光変換器、光信号伝送手段、光電気変換器を用いて接続している。この光信号伝送手段からは、基準信号あるいは高調波信号が漏洩することがない。
【００２５】
これにより、ＰＬＬ回路の入力に近接して光電気変換器を設けることができるので、光電気変換器の出力からの高調波信号の輻射を最小とできる。
【００２６】
また、基準発振器は、チューナ部の入力部、あるいは発振器とは離して配置することができるので、基準発振器からの高調波信号はチューナ部の入力部、あるいは発振器に飛び込むことがない。
【００２７】
従って、弱電界での受信において課題となる受信感度の劣化を防止することができる。
【発明を実施するための最良の形態】
【００２８】
（実施の形態１）
図１は、本発明の実施の形態１におけるＵＨＦ帯（４７０ＭＨｚ〜７７０ＭＨｚ）を用いたデジタル放送信号を受信する高周波受信機器１０１のブロック図である。
【００２９】
この高周波受信機器１０１は、高周波受信部１０２、信号処理部１０３、音声出力部１０４、画像表示部１０５、システム制御部１０６から構成されている。また、高周波受信部１０２は、チューナ部１０７と、復調部１０９から構成されている。
【００３０】
最初に、チューナ部１０７は、アンテナ１１０が接続される入力端子１１１から出力端子１１３に向かって順に、増幅器１１５、この増幅器１１５の出力信号が一方の入力に接続される混合器１１７、フィルタ１１９、増幅器１２１が接続されている。
【００３１】
また、混合器１１７の他方の入力には発振器１２３の発振信号が入力され、この発振器１２３には発振周波数を制御するためのＰＬＬ回路１２５が接続されている。
【００３２】
このＰＬＬ回路１２５と基準発振器１２６との間には、基準発振器１２６からＰＬＬ回路１２５に向かって順に、電気信号を光信号に変換する電気光変換器１２８、光ファイバ等の光信号伝送手段１２９、光信号を電気信号に変換する光電気変換器１３０が設けられる。
【００３３】
これら電気光変換器１２８と、光信号伝送手段１２９と、光電気変換器１３０により、光信号を介して伝送する電気信号変換部１４６を構成している。
【００３４】
さらに、混合器１１７の出力と増幅器１１５の利得制御入力１１５ａとの間には、増幅器１１５の利得制御を行うＡＧＣ回路１１７ａが接続されている。
【００３５】
次に、復調部１０９は、出力端子１１３が接続される入力端子１３２から出力端子１３３に向かって順に、ＡＤ（アナログデジタル）コンバータ１３４、フィルタ１３５、復調回路１３７が接続されている。復調回路１３７と増幅器１２１の利得制御入力１２１ａとの間には、増幅器１２１の利得制御を行うＡＧＣ回路１３９が接続されている。
【００３６】
また、クロックＰＬＬ１４１からは、例えば８１ＭＨｚのクロック信号がＡＤコンバータ１３４に供給され、例えば２．２〜４．６ＭＨｚのクロック信号が復調回路１３７に供給されている。このクロックＰＬＬ１４１の入力には、基準信号となる基準発振器１４４から出力される発振信号が供給されている。
【００３７】
次に、信号処理部１０３は、出力端子１３３に接続される入力端子１５１と、この入力端子１５１に接続されたデコード回路１５３と、このデコード回路１５３から出力される復号化信号が供給される信号処理回路１５５に供給される。
【００３８】
この信号処理回路１５５から出力される映像信号、音声信号は、画像表示部１０５、音声出力部１０４にそれぞれ供給される。
【００３９】
また、クロックＰＬＬ１６１からは、例えば１３３ＭＨｚのクロック信号がデコード回路１５３に供給され、例えば４ＭＨｚのクロック信号が信号処理回路１５５に供給されている。このクロックＰＬＬ１６１の入力には基準発振器１６３からの基準信号が接続されている。
【００４０】
さらに、システム制御部１０６からの制御用データ信号により、高周波受信部１０２、信号処理部１０３を制御することができる。
【００４１】
このように構成された高周波受信機器１０１の動作について図１を用いて以下説明する。
【００４２】
アンテナ１１０からのテレビ放送信号等の高周波信号は、増幅器１１５により利得制御されたのち、混合器１１７に入力される。この混合器１１７の他方の入力には発振器１２３からの出力信号が供給されている。
【００４３】
これにより、混合器１１７からは周波数変換された出力信号が出力され、さらにフィルタ１１９により妨害信号が抑圧される。このフィルタ１１９からの出力信号は増幅器１２１により利得制御されたのち、出力端子１１３から出力される。
【００４４】
この出力端子１１３からの出力信号は、入力端子１３２を介してＡＤコンバータ１３４に入力され、アナログ信号がデジタル信号に変換される。このデジタル信号はフィルタ１３５に入力され、妨害信号が抑圧される。このフィルタ１３５からの出力信号は復調回路１３７に入力され、復調信号が出力端子１３３から出力される。
【００４５】
この復調信号は、デコード回路１５３に入力される。このデコード回路１５３から出力される復号化信号は信号処理回路１５５に入力される。この信号処理回路１５５からの映像信号は画像表示部１０５により表示され、音声信号は音声出力部１０４により出力される。
【００４６】
これらデコード回路１５３および信号処理回路１５５にはクロックＰＬＬ１６１から基準クロック信号が入力されている。
【００４７】
次に、チューナ部１０７、復調部１０９、信号処理部１０３のそれぞれ内蔵された基準発振器１２６、１４４、１６３について以下説明する。
【００４８】
この信号処理部１０３に内蔵された基準発振器１６３からの基準信号は、クロックＰＬＬ１６１に供給される。また、復調部１０９に内蔵された基準発振器１４４の基準信号はクロックＰＬＬ１４１に供給される。
【００４９】
さらに、チューナ部１０７に内蔵された基準発振器１２６からの例えば２０ＭＨｚの基準信号は、電気信号を光信号に変換する電気光変換器１２８に入力される。この電気光変換器１２８から出力される光信号は光信号伝送手段１２９を通して光信号を電気信号に変換する光電気変換器１３０に入力される。この光電気変換器１３０から出力される例えば２０ＭＨｚの基準信号は、ＰＬＬ回路１２５に供給される。
【００５０】
図４の従来例では、ＰＬＬ回路２７に対して基準発振器２９からの基準信号を直接に入力していた。ところが、基準発振器２９からＰＬＬ回路２７までの引き回し部２９ａが長くなると、この引き回し部２９ａから基準信号の高調波信号が輻射した。
【００５１】
この輻射された高調波信号は、例えば感度の高いアンテナ９から増幅器１５の入力部に飛び込み、あるいは発振器２５の発振信号に飛び込み、あるいはＡＧＣ回路２３に飛び込んで、弱電界における受信感度の劣化が発生した。
【００５２】
特に、小型化サイズとしたチューナ部７では、基準発振器２９からの高調波信号の輻射による受信感度の劣化が問題となった。
【００５３】
図１において、これを改善するために、基準発振器１２６の出力部に電気光変換器１２８を近接して設け、さらにＰＬＬ回路１２５の入力部に光電気変換器１３０を近接して設ける。
【００５４】
これにより、電気光変換器１２８と光電気変換器１３０の間は光ファイバ等の光信号伝送手段１２９を用いて接続できるので、基準発振器１２６と増幅器１１５の入力部、あるいは基準発振器１２６と発振器１２３との距離を大きくできる。従って、基準発振器１２６の高調波信号の輻射による増幅器１１５の入力部あるいは発振器１２３への飛び込みを抑圧できる。
【００５５】
なお、光信号伝送手段１２９として、光ファイバを設けることなく、電気光変換器１２８の出力に接続される発光ダイオード等を用いた発光素子と、光電気変換器１３０の入力に接続される受光トランジスタ等を用いた発光素子を設け、これら発光素子と受光素子により直接に光伝送してもよい。この場合には、光ファイバが不要となるので、小型化サイズのチューナ部１０７を実現できる。
【００５６】
また、基準発振器１２６と電気光変換器１２８との間に基準信号を分周する分周器１４４ａ（図示せず）を挿入しても良い。この分周器１４４ａ（図示せず）を用いることにより、例えば基準発振器１４４の発振周波数を高くできるので、基準発振器１４４を小型化サイズとでき、あるいは、電気光変換器１２８への入力信号の周波数を低くできるので、受信信号の周波数における高調波信号レベルをより小さくできる。
【００５７】
以上のように、光信号伝送手段１２９を有する電気信号変換部１４６を用いて、基準発振器１２６とＰＬＬ回路１２５とを接続できるので、基準発振器１２６とチューナ部１０７の入力部、あるいは基準発振器１２６と発振器１２３との距離を離して配置することができる。
【００５８】
また、たとえ、電気光変換器１２８と光電気変換器１３０とを接続する光信号伝送手段１２９が長くなったとしても、光信号による伝送としているので他の回路に妨害を与えることはない。
【００５９】
従って、弱電界での受信において課題となる受信感度の劣化を防止することができる。特に、小型化サイズとしたチューナ部１０７においては、これによる効果は大きい。
【００６０】
なお、高周波受信部１０２を複数個用いてダイバーシティ受信を行う場合においても、本発明を使用することも可能である。
【００６１】
また、基準発振器１２６とＰＬＬ回路１２５との間に、光信号を用いた電気信号変換部１４６を用いた場合を説明したが、例えば、システム制御部１０６からのＰＬＬ回路１２５、クロックＰＬＬ１４１，１６１等へのＩ２Ｃバスライン等の制御信号の配線についても電気信号変換部１４６を用いることができる。
【００６２】
すなわち、システム制御部１０６から出力される制御信号の高調波信号は、基準発振器１２６の場合と同様に、チューナ部１０７の入力部、あるいは発振器１２３に飛び込んで妨害信号となる場合が発生するが、チューナ部１０７の入力部、あるいは発振器１２３に近接するＰＬＬ回路１２５とシステム制御部１０６との間に電気信号変換部１４６ａ（図示せず）を用いることにより防止することができる。
【００６３】
さらに、光信号伝送手段１２９は、チューナ部１０７が構成されている多層基板１０７ａ（図示せず）に例えば安価なプラスティック製の光ファイバを設けて光信号を伝達することができる。また、この多層基板１０７ａ（図示せず）に発光素子と受光素子を設けて直接に光信号を伝達することができるので、光ファイバを削除することにより安価なチューナ部を提供できる。
【００６４】
（実施の形態２）
図２は、実施の形態２における高周波受信機器２０１である。実施の形態１は、基準発振器１２６とＰＬＬ回路１２５との間に電気信号変換部１４６を設けている。
【００６５】
これに対して、本実施の形態では、基準発振器１２６を削除し、基準発振器１４４とＰＬＬ回路１２５との間に電気信号変換部２４６を設けている点が異なる。
【００６６】
この電気信号変換部２４６は、電気光変換器２２８と、光信号伝送手段２２９と、光電気変換器１３０から構成されている。
【００６７】
なお、図２で使用した部品について、図１と同じものについては同一の番号を付して説明を簡略化している。
【００６８】
図２において、高周波受信機器２０１は、高周波受信部２０３と、信号処理部１０３と、これらを制御するためのシステム制御部１０６から構成されている。
【００６９】
高周波受信部２０３は、高周波信号が入力されるチューナ部２０７と、このチューナ部２０７からの出力信号が供給される復調部２０９から構成されている。
【００７０】
また、基準発振器１４４からの基準信号は、電気光変換器２２８に入力されて光信号に変換される。この光信号は、光ファイバ等の光信号伝送手段２２９により光電気変換器１３０に入力される。この光電気変換器１３０から出力される基準信号は、ＰＬＬ回路１２５に入力される。
【００７１】
なお、基準発振器１４４と電気光変換器２２８との間に、基準信号を分周する分周器１４４ａ（図示せず）を挿入しても良い。この分周器１４４ａ（図示せず）を用いることにより、例えば基準発振器１４４の発振周波数を高くできるので、基準発振器１４４を小型化サイズとでき、あるいは、電気光変換器２２８への入力信号の周波数を低くできるので、受信信号の周波数における高調波信号レベルを小さくできる。
【００７２】
以上のように、光信号伝送手段２２９を有する電気信号変換部２４６を用いて、基準発振器１４４とＰＬＬ回路１２５とを接続できるので、基準発振器１４４とチューナ部２０７の入力部、あるいは発振器１２３との距離を離して配置することができる。
【００７３】
また、たとえ、電気光変換器２２８と光電気変換器１３０とを接続する光信号伝送手段２２９が長くなったとしても、光信号としているので他の回路に妨害を与えることはない。
【００７４】
従って、弱電界での受信において課題となる受信感度の劣化を防止することができる。特に、小型化サイズとしたチューナ部２０７においては、これによる効果は大きい。
【００７５】
また、ひとつの基準発振器１４４を共用しているので、小型化サイズの高周波受信部２０３を実現することができる。
【００７６】
さらに、高周波受信部２０３を複数個用いてダイバーシティ受信を行う場合においても、本発明を使用することも可能である。
【００７７】
（実施の形態３）
図３は、実施の形態３における高周波受信機器３０１である。実施の形態１は、基準発振器１２６とＰＬＬ回路１２５との間に電気信号変換部１４６を設けている。これに対して、本実施の形態では、基準発振器１４４とＰＬＬ回路１２５、クロックＰＬＬ１４１との間に電気信号変換部３４６を設けている点が異なる。
【００７８】
この電気信号変換部３４６は、電気光変換器３２８、光信号伝送手段３２９、３３０、光電気変換器１３０、３３１から構成されている。
【００７９】
なお、図３で使用した部品について、図１と同じものについては同一の番号を付して説明を簡略化している。
【００８０】
図３において、高周波受信機器３０１は、高周波受信部３０３と、信号処理部１０３と、これらを制御するためのシステム制御部１０６から構成されている。
【００８１】
高周波受信部３０３は、高周波信号が入力されるチューナ部３０７と、このチューナ部３０７からの出力信号が供給される復調部３０９から構成されている。
【００８２】
また、基準発振器１４４からの基準信号は、電気光変換器３２８に入力されて光信号に変換される。この光信号は、光ファイバ等の光信号伝送手段３２９および３３０により光電気変換器１３０、３３１にそれぞれ入力される。この光電気変換器１３０、３３１から出力される基準信号は、ＰＬＬ回路１２５、クロックＰＬＬ１４１に入力される。
【００８３】
なお、基準発振器１４４と電気光変換器３２８との間に基準信号を分周する分周器１４４ａ（図示せず）を挿入しても良い。この分周器１４４ａ（図示せず）を用いることにより、例えば基準発振器１４４の発振周波数を高くできるので、基準発振器１４４を小型化サイズとでき、あるいは、電気光変換器３２８への入力信号の周波数を低くできるので、受信信号の周波数における高調波信号レベルを小さくできる。
【００８４】
以上のように、光信号伝送手段３２９、３３０を有する電気信号変換部３４６を用いて、基準発振器１４４とＰＬＬ回路１２５、クロックＰＬＬ１４１とを接続できるので、基準発振器１４４とチューナ部３０７の入力部、あるいは発振器１２３との距離を離して配置することができる。
【００８５】
また、たとえ、電気光変換器３２８と光電気変換器１３０、３３１とを接続する光信号伝送手段３２９、３３０が長くなったとしても、光信号としているので例えばチューナ部３０７の入力部、発振器１２３の発振信号に妨害を与えることはない。
【００８６】
従って、弱電界での受信において課題となる受信感度の劣化を防止することができる。特に、小型化サイズとしたチューナ部３０７においては、これによる効果は大きい。
【００８７】
また、ひとつの基準発振器１４４を共用しているので、小型化サイズの高周波受信部３０３を実現することができる。
【００８８】
さらに、高周波受信部３０３を複数個用いてダイバーシティ受信を行う場合においても、本発明を使用することも可能である。
【産業上の利用可能性】
【００８９】
本発明のチューナ部では、基準発振器の高調波信号によるスプリアス妨害を低減することにより受信感度の低下を防止できるので、小型化サイズとしたチューナ部を実現できる。
【図面の簡単な説明】
【００９０】
【図１】本発明の実施の形態１における高周波受信機器のブロック図
【図２】本発明の実施の形態２における高周波受信機器のブロック図
【図３】本発明の実施の形態３における高周波受信機器のブロック図
【図４】従来例における高周波受信機器のブロック図
【符号の説明】
【００９１】
１０７  チューナ部
１１３  出力端子
１１７  混合器
１２３  発振器
１２５  ＰＬＬ回路
１２６  基準発振器
１２８  電気光変換器
１２９  光信号伝送手段
１３０  光電気変換器
１４６  電気信号変換部
【図１】
2010171482.tif 000003
【図２】
2010171482.tif 000004
【図３】
2010171482.tif 000005
【図４】
2010171482.tif 000006